(57)【特許請求の範囲】
【請求項１】
浜区域において、
遊水設備と、
前記遊水設備に隣接して、且つ利用者のそこでのリクレーション活動を促すのに十分な大きさのある区域に亘って、配置されている複数の収容構造体と、
前記複数の収容構造体の内に配置されると共に当該収容構造体の上に延在する複数の浜表面材料であって、それぞれの収容構造体は異なった色の複数の浜表面材料が優勢的に充填されていて、前記複数の浜表面材料と前記収容構造体が組み合わさって前記浜区域のための多色浜表面を提供するようにしている、浜表面材料と、を備え、
前記複数の収容構造体の少なくとも１つは、受口であって当該受口へ連結されると前記浜表面材料より上に伸びるように構成されている隔離板を受け入れるように構成されている受口、を備えている、浜区域。
【請求項２】
前記遊水設備は、水収容設備を備えている、請求項１に記載の浜区域。
【請求項３】
前記複数の収容構造体は、前記遊水設備のリップと前記浜区域の外周に沿った壁の間の陥凹内に配置されている、及び／又は当該陥凹を形成している、請求項１に記載の浜区域。
【請求項４】
前記浜表面材料は、半透明浜表面材料、染色浜表面材料、真珠光沢浜表面材料、又は燐光浜表面材料のうちの１つ又はそれ以上を備えている、請求項１に記載の浜区域。
【請求項５】
浜区域において、
遊水設備と、
前記遊水設備に隣接して、且つ利用者のそこでのリクレーション活動を促すのに十分な大きさのある区域に亘って、配置されている複数の収容構造体と、
前記複数の収容構造体の内に配置されると共に当該収容構造体の上に延在する複数の浜表面材料であって、それぞれの収容構造体は異なった色の複数の浜表面材料が優勢的に充填されていて、前記複数の浜表面材料と前記収容構造体が組み合わさって前記浜区域のための多色浜表面を提供するようにしている、浜表面材料と、を備え、
前記複数の収容構造体の少なくとも１つは、案内及び隔離板を備えており、前記隔離板は、当該隔離板が前記浜表面材料より上に伸びるよう前記案内から滑り出るように構成されている、浜区域。
【請求項６】
浜区域において、
遊水設備と、
前記遊水設備に隣接して、且つ利用者のそこでのリクレーション活動を促すのに十分な大きさのある区域に亘って、配置されている複数の収容構造体と、
前記複数の収容構造体の内に配置されると共に当該収容構造体の上に延在する複数の浜表面材料であって、それぞれの収容構造体は異なった色の複数の浜表面材料が優勢的に充填されていて、前記複数の浜表面材料と前記収容構造体が組み合わさって前記浜区域のための多色浜表面を提供するようにしている、浜表面材料と、を備え、
前記複数の浜表面材料の下に配置されている少なくとも１つのベントであって、当該複数の浜表面材料を通してガス又はスモークを放出するように構成されているベント、を備えている、浜区域。
【請求項７】
前記複数の収容構造体の１つの半透明な浜表面材料の層の下に縦方向に配置されていて当該層を通して光を放射するように構成されている電照システムと、
前記層の下に配置されている少なくとも１つのベントであって前記層を通してガス又はスモークを放出するように構成されているベント、を備えている、請求項１に記載の浜区域。
【請求項８】
前記電照システムと前記層の間に配置されている半透明又は透明な間仕切であって前記複数の浜表面材料が前記電照システムと接触するのを実質的に遮断するように構成されている間仕切、を備えている、請求項７に記載の浜区域。
【請求項９】
前記複数の浜表面材料は不透明な材料の区画を含んでいる、請求項７に記載の浜区域。
【請求項１０】
前記電照システムは、格子パターンに配列された複数の光源を備えている、請求項７に記載の浜区域。
【請求項１１】
前記電照システムは、複数の発光体であって当該発光体の上へ配置されていてそれら発光体を前記層から分離している透明な膜又は殻と一体に前記複数の収容構造体の１つ内に配置されている複数の発光体、を備えている、請求項７に記載の浜区域。
【請求項１２】
前記電照システムは、前記層の中へ延びている光ファイバーケーブルと連結されている、請求項７に記載の浜区域。
【請求項１３】
前記電照システムは、発光体のアレイを備えており、当該発光体のアレイを用いた前記層の照明を介してフルモーション映像を映し出すように構成されている、請求項７に記載の浜区域。
【請求項１４】
前記複数の収容構造体のそれぞれに配置されている異なった色又は型式の浜表面材料を備えている、請求項７に記載の浜区域。
【請求項１５】
前記電照システムが前記層の照明を介してパターンを投影するように構成されている、請求項７に記載の浜区域。
【請求項１６】
前記複数の収容構造体の１つの半透明な浜表面材料の層の下に縦方向に配置されていて当該層を通して光を放射するように構成されている電照システムと、
前記電照システムへのアクセスを提供するように少なくとも当該電照システムの一部分の下に配置されている保守管理ピットを備えている、請求項１に記載の浜区域。
【発明の詳細な説明】
【技術分野】
【０００１】
[0001]本開示は、概括的には、遊園地の分野に関する。より厳密には、本開示の実施形態は、親水公園に公園利用者にとって視覚的に魅力のある浜区域を提供するのに利用される方法及び機器に関する。
【背景技術】
【０００２】
[0002]親水公園は、近年、世界中で人気が高まっている。親水公園は、ウォータースライド、散水区域、ゆったり流れる川、遊泳プール、造波プール、及び他のレクリエーション的な水浴び及び遊泳環境の様な、遊水設備（water features）や乗り物を組み入れた遊園地の一型式である。親水公園は、自然を人工的に模倣したものを含んでいる。例えば、多くの親水公園は、川の急流や滝を真似た人工の川や乗り物を含んでいる。親水公園は、更に、典型的には、天然の水域を模倣したプール区域（例えば、造波プール）を含んでいる。また、親水公園は、特定の遊水設備と一体化されているか又はそれら遊水設備を取り囲んでいる浜区域を含んでいることもある。その様な浜区域は、多くの場合、天然の浜環境の衛生と管理の行き届いたバージョンを提供するべくプール区域又は他の遊水設備を囲むように配置されている。例えば、従来の親水公園は、多くの場合、海岸、湖岸、又は川岸の天然の浜を模倣した浜区域を含んでいる。これらの浜区域は、概して、自然を真似ることを意図しているため、模造浜区域は、多くの場合、当然のこととして砂を含んでいる。
【発明の概要】
【０００３】
[0014]本開示は、概括的には、親水公園環境向けの視覚的に関心を引く浜区域に関する。従来の親水公園の浜区域は、概して、造波プール、ゆったり流れる川、遊泳プール、又は散水区域、の様な１つ又はそれ以上の遊水設備に隣接するようにして配置されている浜表面を含んでいる。その様な浜区域は、従来、天然の環境を模倣するように設計されている。従って、これらの浜区域は、実質的に均一なベージュ色又は茶色をしているのが典型である。実際、現実には、浜表面は、全体として、砂及び／又は砂利を含む概ね均一な色の土壌から形成されている。天然の砂又は砂利は、一般に、細かく割られた岩石と鉱物の粒子で構成されている顆粒状材料と定義されている。天然砂は、典型的に、大抵は石英の形態をしているシリカ（二酸化ケイ素即ちＳｉＯ2）を含んでいるが、組成は様々に異なった種類の天然砂及び砂利の間で大きなばらつきがあろう。実際に、或る特定の区域の天然砂又は砂利の特性は、概して、現地の岩石源及び条件に依存している。天然砂は、典型的には、直径が０．０６２５ミリメートルから２ミリメートルまでの範囲の粒子を含み、天然砂利は、典型的に、直径が２ミリメートルから６４ミリメートルまでの粒子を含んでいる。
【０００４】
[0015]本実施形態は、粒子状物質又は相異なる粒子から構成されている物質と定義されている浜表面材料を含んでいる。この浜表面材料は、砂及び砂利の粒子サイズに入る又はそれに近い粒子サイズを含んでいるものとされる。具体的には、浜表面材料は、砂及び／又は砂利の範囲内のサイズである自然発生的又は合成的な粒子を含んでいてもよい。本開示では、砂の範囲内のサイズである浜表面材料粒子は砂様粒子と称され、砂利の範囲内のサイズである浜表面材料は砂利様粒子と称されている。また、その様な浜表面材料は、本実施形態によれば、実際に、天然の砂又は砂利を含んでいてもよい。実際、浜表面材料は、本技法の他の態様と協働して浜区域として関心を引く視覚効果を提供する特定の特性（例えば、色合い、透明性、真珠光沢、燐光）を含んでいる天然材料、改質された天然材料、及び／又は合成材料を含むことができる。
【０００５】
[0016]具体的には、本実施形態は、遊水設備（例えば、造波プール、ゆったり流れる川、遊泳プール、又は散水区域）に隣接していて、多色（例えば、虹色）の又は照明された（例えば、バックライトで照らされた）浜表面が提供されるように１つ又はそれ以上の収容構造体に配置されている浜表面材料（例えば、砂様又は砂利様粒子）を含んでいる浜区域を、保守管理又は提供するための機構を含んでいる。具体的には、例えば、本実施形態は、遊水設備に隣接する区域にアレイ状に並べられていて、それぞれが異なった色の浜表面材料を保持している、複数の収容構造体を含んでいてもよい。而して、本実施形態は、異なった色の浜表面材料を含む様々な区画によって形成されている虹色浜の様な多色浜区域を含んでいる。更に、本実施形態は、保守管理を容易にするために、調節可能又は取り付け可能な防壁延長部を含んでいてもよい。別の実施形態では、視覚的に関心を引く浜区域は、真珠光沢及び／又は燐光の浜表面材料を作成すること、及び／又は当該浜表面材料を浜区域を画定している１つ又はそれ以上の収容構造体に分配すること、によって提供されていてもよい。更に別の実施形態では、透明又は半透明な浜表面材料が、１つ又はそれ以上の収容構造体に配置されていてもよい。また、浜表面材料の下に光源を配置し、光を浜表面材料の裏から放射して、照明された及び／又は多色の浜表面が提供されるようにしてもよい。また、砂様及び／又は砂利様粒子が光源に直接触れないように、収容構造体は、透明又は半透明な基底（例えば、透き通った殻又は膜）又は棚を含んでいるか又はその上へ配置されていてもよい。
【０００６】
[0003]本発明のこれら及び他の特徴、態様、及び利点は、次に続く詳細な説明が添付図面と関連付けて読まれれば、より深く理解されることであり、図面全体を通して同様の符号は同様の部分を表している。
【図面の簡単な説明】
【０００７】
【図１】[0004]本技法による全体的に矩形の収容構造体を有する区分けされた浜に隣接する遊水設備の略平面図である。
【図２】[0005]本技法による多彩な形状を持つ収容構造体を有する区分けされた浜に隣接する遊水設備の略平面図である。
【図３】[0006]本技法による図１の遊水設備及び隣接する浜の略断面図である。
【図４】[0007]本技法による収容構造体の一部分と連結する隔離板の斜視図である。
【図５】[0008]本技法による収容構造体の一部分から伸びる隔離板の斜視図である。
【図６】[0009]本技法による浜区域の保守管理を提供する方法のプロセスフロー図である。
【図７】[0010]本技法による透明又は半透明な浜表面材料の下に配置されている電照システムから照らすことのできる浜区域に隣接する遊水設備の略平面図である。
【図８】[0011]本技法による図７の浜区域の略断面図である。
【図９】[0012]本技法による浜表面材料の下に配置されていて浜表面材料を通してガス又はスモークを放出するように構成されているベントを含んでいる浜区域に隣接する遊水設備の略平面図である。
【図１０】[0013]本技法による、浜区域の下に配置されている保守点検ピットを含む、図９の浜区域及び遊水設備の略断面図である。
【発明を実施するための形態】
【０００８】
[0017]図面を見てゆくと、図１は、本実施形態による遊水プール１２に隣接する多色浜１０の略平面図である。他の実施形態では、多色浜１０は、１つ又はそれ以上の異なった型式の遊水設備に隣接して配置されていてもよい。浜１０は、色付浜表面材料の複数区画１４から構成されていて、それらの材料はプールと重なり合ったり混ざり合ったりすることもあろう。本実施形態によれば、区画１４は、遊水プール１２又は別の遊水設備に対して、平行であってもよいし、垂直であってもよいし、又はそれ以外のやり方で配列されていてもよい。色付浜表面材料には、1711 Cudaback Ave, Suite 253, Niagara Falls, New York 14303に事務所を有するSandtastik Products Inc.社から入手可能なSandtastik(登録商標)Colored Sandや、1100 Church Lane, Easton, Pennsylvania 18044-0431に本社のあるCrayola LLCから入手可能なCrayola（登録商標）Play Sandが挙げられる。具体的には、図示の実施形態では、浜は６つの異なった区画１４を含んでおり、それら区画１４のそれぞれは、異なった色の浜表面材料（Ａ色〜Ｆ色を表す文字で表記）を含んでいる。幾つかの実施形態では、異なった数の浜表面材料区画及び浜表面材料色が採用されていてもよい。
【０００９】
[0018]区画１４は、概して、収容構造体１６によって画定されていて、当該収容構造体１６は、少なくとも部分的には浜表面材料（例えば、砂）によって覆われていて、浜１０の異なった色の浜表面材料が互いに隣接している場所でそれら異なった色の浜表面材料が過剰に混ざり合うのを防止するよう機能している。収容構造体１６は、更に、過剰な量の浜表面材料がプール１２の中へ進入するのを防止している。浜表面付近では異なった色の浜表面材料の或る程度の混ざり合いは起こるかもしれないし、或る程度の量の浜表面材料はプール１２に進入するかもしれないが、収容構造体１６が、概して、過剰な混ざり合いを食い止めるよう機能し、更には本実施形態による浜１０の保守管理をやり易くすることであろう。
【００１０】
[0019]図示の実施形態では、様々な区画１４には異なった色の浜表面材料が充填されて、独特な全体パターン又は視覚効果を提供している。実際に、様々な区画１４の異なった色の浜表面材料を組み合わせて虹を形成することができる。他の実施形態では、異なった配列及び色が、図２に表現されている実施形態によって例示されている様に利用されていてもよい。図１に描かれている実施形態は、全体的に矩形の収容構造体１６を含んでいるが、図２に描かれている収容構造体１６は、浜表面に異なった形状をもたらしている。実際、図２は、一部の特定の収容構造体１６が他の収容構造体を取り囲んで諸形状を画定していることを示している。また、図２では、異なった視覚効果が実現されるように、図１に対比してより少ない浜表面材料色が採用されている。具体的には、図２に描かれている収容構造体１６は、曲線状の境界や星形状１８を画定するように配列されており、当該星形状は収容構造体１６のうちの１つを別の収容構造体１６が取り囲んで形成されている。図２の収容構造体に配置されている浜表面材料の色は、本実施形態によれば、アメリカ愛国のテーマを提供するべく赤と白と青に対応している。
【００１１】
[0020]図３は、本実施形態によるプール１２に隣接する浜１０の断面斜視図である。浜１０は、区画１４を画定している収容構造体１６の内と上に配置されている浜表面材料２０を含んでいる。幾つかの実施形態では、浜表面材料２０は、基底には普通の砂又は砂利を含み、表層には視覚的に魅力のある浜表面材料を含んでいる。浜表面材料２０又は当該浜表面材料２０の視覚的に魅力のある成分は、毎日の営業や使用の間中、色と適度な感触を維持するのに十分な深さである。具体的には、図示の実施形態では、浜表面材料２０は、実質的に異なった区画１４に配置されている異なった色の砂を含んでいる。第１色の砂２０Ａは、第１区画１４Ａを形成するように第１収容構造体１６Ａの内及び／又は上に配置されており、第２色の砂２０Ｂは、第２区画１４Ｂを形成するように第２収容構造体１６Ｂの内と上に配置されている。区画１４Ａの砂２０Ａと区画１４Ｂの砂２０Ｂは表面近くで混ざり合うことがあるかもしれないが、表面下では、収容構造体１６の構成要素によって分離されている。また、砂２０は、概して、プール１２の中へ流入しないように、収容構造体１６によって封鎖されている。とはいえ、浜１０とプール１２の間には或る程度の重なり合いが存在している。
【００１２】
[0021]収容構造体１６は、基礎２２、リップ２４、後壁２６、及び間仕切２８から形成されている。図示の実施形態では、収容構造体１６には上側の境界が無く、砂２０が収容構造体１６を満たし溢れ出て、浜表面上の利用者と収容構造体１６の構成要素の間に十分な層を存在させられるようにしている。実際に、砂２０は、収容構造体１６と浜表面での活動（例えば、歩行やくつろぎ）に参加している利用者の間の接触を回避させるに足る、収容構造体１６の最上部分との間の十分な距離を延びている。幾つかの実施形態では、浜表面材料２０の保守管理をやり易くするため、又は天然浜の大凡の感触を提供しながらも異なった浜表面材料色間の混合を食い止めるためにも、収容構造体１６のうち１つ又はそれ以上について上側境界としてスクリーンが採用されていてもよい。また、それぞれの収容構造体１６の構成要素には、対応する収容構造体に配置されている砂２０の色と一致するように色が付けられていてもよく、そうすれば、収容構造体１６の一部分が露出してもその中に配置されている砂２０と視覚的に調和することであろう。
【００１３】
[0022]具体的には、図示の実施形態では、基礎２２（例えば、コンクリート層）は、収容構造体１６の基底としての機能を果たしている。基礎２２は、プール１２のための基底又は槽を形成してもいる。他の実施形態では、複数の収容構造体１６及び／又は遊水設備（例えば、プール１２）の間で単一の基礎２２が共有されていないこともある。また、図示の実施形態では基礎２２の一部とされているリップ２４は、浜１０とプール１２の間の境界に沿って上に向かって延びている。リップ２４は、砂２０とプール１２内の水３０との過剰な混ざり合いを食い止めるよう機能する。プール１２内の一定量の砂２０は許容され得るであろう。実際に、図示の実施形態では、砂２０と水３０の間には重なり合い３２が存在している。また一方で、砂２０の水３０中への実質的な流入を遮断するリップ２４を含むことが望ましいこともある。このことは、とりわけ、プール１２が、浜１０への波作用により砂２０をプール１２の中へ引き込む働きをしてしまう造波プールである実施形態に当て嵌まる。図示の実施形態では、リップ２４は、砂２０に面した側には上に向かって険しい角度を付けられ、下に向かってプール１２の中へと角度を成して勾配のある汀を提供している。とはいえ、別の実施形態では、リップ２４は異なった幾何学的特徴を含んでいてもよい。また、幾つかの実施形態では、リップは、基礎２２とは別体の機構である。実際に、リップ２４は、図示の間仕切２８に類似の又は同一の機構を含んでいてもよい。
【００１４】
[0023]図示の実施形態では、間仕切２８が後壁２６とリップ２４の間に延びて区画１４同士を分離し画定している。後壁２６は、土壌、コンクリート、など、の縁であってもよい。また、幾つかの実施形態では、描かれている間仕切２８に類似の又は同一の機構が後壁２６として利用されていてもよい。図３に描かれている実施形態は、間仕切２８が実質的に平行様式に配列されていることを示しているが、他の実施形態では、間仕切２８は、画定される区画１４毎に様々に異なった形状又は輪郭を画定するように配列されていてもよい。例えば、間仕切２８は、図２に描写されている区画１４を提供するように配列されていてもよい。
【００１５】
[0024]収容構造体１６の態様は、浜の保守管理をやり易くする境界延長部又は隔離板との連結又は係合を容易にしている。具体的には、例えば図３に描かれている間仕切２８は、取り付けられると浜表面より上に延びるサイズの隔離板と連結するように構成されている尖部４０を含んでいる。図４は、間仕切２８のうちの１つの一部分と連結されようとしている隔離板４２の斜視図を提供している。具体的には、図４では、隔離板４２は、尖部４０と隔離板４２の受口４６の間の連結を促すように間仕切２８に対して（矢印４４で示されているように）下ろされてゆく。隔離板４２をこの様式で配列することにより、浜１０はより容易に保守管理されることであろう。例えば、区画１４同士の間に多量の混合を引き起こすこと無く、浜表面材料２０を掻き均したり追加の浜表面材料２０を足したりすることができる。実際、例えば、隔離板４２は、第１色の砂２０Ａの追加量を第１区画１４Ａに提供する間、第１色の砂２０Ａが第２色の砂２０Ｂと混ざらないように遮断する働きをすることであろう。他の実施形態では、隔離板４２は、収容構造体１６と連結されず、単純に、浜表面材料２０の層の中へ楔打ちされてもよい。更に別の実施形態では、図５に描かれている様に、隔離板４２は、収容構造体１６内部から隔離板案内５０を通って滑動式にせり上がってきてもよい。実際に、隔離板４２は、保守管理作業員がアクセスして矢印５４で示されている様に引き上げ、隔離板４２を収容構造体１６内のポケット５６から外へ伸ばせるハンドル５２を含んでいてもよい。また、隔離板４２は、ロッド６０とキャッチ６２を有するラッチ機構５８を含んでいてもよい。ロッド６０は、ハンドル５２を回せば矢印６４で表わされている様に回転し、キャッチ６２を図５に描かれている様に収容構造体１６の上へ張り出させるようになっていてもよい。こうして、キャッチ６２は、起動させると、収容構造体１６の縁に当接して隔離板４２がポケット５６の中へ滑り戻るのを防ぐように構成されている。これらの様な隔離板４２の使用は保守管理をやり易くするであろう。
【００１６】
[0025]図６は、本実施形態による、浜区域を提供し保守管理する方法８０を示すプロセスフロー図である。方法８０は、ブロック８２によって表されている様に、様々な型式（例えば、異なった色）の浜表面材料を生成又は提供することから始まる。１つの実施形態では、これは、或る特定の型式の材料（例えば、真珠光沢材料又は半透明材料）を、浜表面材料として適当な粒子（例えば、砂様粒子又は砂利様粒子）へ粉砕又は破砕することを含でいる。これは、天然の砂又は砂利と混ぜ合わせることを含んでいてもよい。１つの実施形態では、これは、粒子状物質（例えば、天然の砂又は砂利）を染色することを含んでいる。浜表面材料が獲得又は提供されたら、ブロック８４によって表されている様に、それを浜区域の区画を画定している収容構造体の中へ分配する。これは、隣接する構造体を異なった型式の浜材料で充填して浜区域の全体パターンを提供することを含んでいてもよい。区画は、一旦充填された後、ブロック８６によって表されている様に、浜表面材料が浜区域で利用者が活動に参加している区域の収容構造体を覆って延びるように、僅かに過剰充填されてもよい。これは、概して、浜区域の隣り合う区画で異なった型式の浜表面材料同士が混ざり合うという結果をもたらす。また、利用者が浜区域に沿って動くと、これらの区域は更に混ざり合った状態になるであろう。従って、浜区域は、所望の外観を提供し続けるために保守管理が必要になるかもしれない。その様な保守管理は、ブロック８８によって表されている様に、異なった型式の浜表面材料を有する浜の隣接する区画同士の間に隔離板を、それら隔離板が浜表面材料を貫いて上方へ延びるようにして配置することを含んでいてもよい。これは、隔離板を浜表面材料の中へ境界に沿って楔打ちすること（例えば、表面下１インチ（２．５４ｃｍ）まで）、隔離板を収容機構の機構と連結すること、又は隔離板を収容機構から延長させること、を含んでいてもよい。ブロック９０によって表されている様に、隔離板がその場に在る間に、又は隔離板を配置する前に、混ざり合った浜表面材料を（例えば、シャベルを用いて）集め、浜区域から除去するようにしてもよい。ブロック９２によって表されている様に、隔離板がその場に在る間に、隔離板の該当する側に沿って入替用浜表面材料を注ぐか又は投げ下ろすことによって、当該入替用浜表面材料を防壁に沿って提供することができる。隔離板は、追加の浜表面材料が足される間、浜表面材料が境界に沿って過剰に混ざり合うのを防止する。所望量の浜表面材料が隔離板の片側又は両側に足された後、ブロック９４によって表されている様に、隔離板は除去される。
【００１７】
[0026]図７は、本実施形態による、遊水設備１０２に隣接する背後照明された又は投影式の浜１００の略平面図である。図７に描かれている様に、浜１００は、浜区域に沿って格子パターンに配置された発光体１０６（例えば、発光ダイオード、ハロゲンランプ、光ファイバーケーブル又はストランドと連結されている光源）のアレイを含む電照システム１０４を含んでいてもよい。発光体１０６は、異なった実施形態では、互いに対して異なった配列に（例えば、異なった離隔距離に、又は異なった形状構成に）配置されていてもよい。浜１００の略断面図である図８に描かれている様に、発光体１０６は、半透明な浜表面材料１１０の下に配置されていて、その結果、起動させると、発光体１０６が光を浜表面材料１１０の中へ投射する。浜表面材料１１０の深さ、表面材料１１０の性質、所望効果、など、に依存して、発光体１０４についての様々に異なる明るさレベルが所望され、利用されることになろう。
【００１８】
[0027]また、発光体１０６の型式に依っては、発光体１０６と浜表面材料１１０の間の直接接触を防ぐのが望ましいこともあろう。例えば、これは、浜表面材料１１０の溶融を防止するために行われることがあろう。図示の実施形態では、浜表面材料１１０（例えば、燐光粒子）が、透き通った材料又は半透明な材料で作られた間仕切１１２（例えば、殻又は薄膜）の上へ配置されている。この間仕切１１２は、浜表面材料１１０を電照システム１０４の構成要素（例えば、発光体１０６）から実質的に分離する働きをし、電照システム１０４からの光が浜表面材料１１０に向けて通過するのを許容しながらも電照システム１０４を保護することができる。また一方、他の実施形態では、電照システム１０４は、浜表面材料１１０と直接接触していてもよい。また、図示の実施形態では、興味を引く視覚効果を提供するべく光ファイバーケーブル１１４が電照システム１０４から浜表面材料１１０の中へ延びている。実際に、光ファイバーケーブル１１４は、照らし出される模造芝を提供するように表面まで延びていてもよい。
【００１９】
[0028]電照システム１０４は、発光体１０６を起動させるように構成されているコントローラ１２０を含んでいてもよい。コントローラ１２０は、浜１００に対して現地及び／又は遠隔とすることができる。コントローラ１２０は、入力／出力構成要素並びに電照システム１０４を管理する他の制御システム機能を制御するように構成されているコンピュータ又はプログラム可能な論理コントローラを含んでいてもよい。幾つかの実施形態では、コントローラ１２０は、プロセッサと、電照システム１０４のスイッチングなどを起動させるように構成されているコードを格納する非一時的コンピュータ可読媒体と、を含んでいる。作動時、コントローラ１２０は、単純に、発光体１０６をオンにしたりオフにしたりするものであってもよいし、又はコントローラ１２０は、色、明るさ、起動、など、を調整するように構成されていてもよい。実際、幾つかの実施形態では、コントローラ１２０と発光体１０６は、アニメーションを提供するように連係していてもよい。実際に、発光体１０６は、フルモーション映像（映画）を表示するのに適切な解像度を提供するように密に配列されていてもよい。幾つかの実施形態では、色合いは、電照システム１０４によって、発光体１０６の有色レンズによって、半透明な浜表面材料１１０の着色によって、又はそれらの組合せによって、提供することができるであろう。
【００２０】
[0029]図９は、遊水設備２０２に隣接する浜２００の略平面図であり、浜は本発明によればスモーク又はガスベント２０４を含んでいる。具体的には、図示の実施形態の浜２００は、浜２００全体に亘って或るパターンに配列された発光体２０６及びベント２０４を含んでいる。他の実施形態では、異なったパターンが使用されていてもよい。浜２００を覆う浜表面材料は、発光体２０６からの光が通過して上述されている様に関心を引く視覚効果を提供できるように、半透明であってもよいし又は半透明区域を含んでいてもよい。この効果は、ベント２０４から立ち昇るスモーク又はガス（例えば、ドライアイスからの霧）で強化することができる。実際に、空気より軽いスモーク又はガスは、それが浜表面材料を通過して表面まで上昇してゆくようにベント２０４から放出されてもよい。幾つかの実施形態では、ベント２０４を通してガス又はスモークを押し出すために圧力が利用されていてもよい。図示の実施形態は、発光体２０６とベント２０４のどちらも含んでいるが、他の実施形態では、発光体２０６だけ又はベント２０４だけが含まれていてもよい。また、他の実施形態では、半透明ではない浜表面材料が採用されていてもよい。例えば、色付き及び／又は天然の浜表面材料が使用されていてもよい。
【００２１】
[0030]図１０は、本技法による、浜２００及び遊水設備２０２の一部分の略断面図である。図１０に描かれている様に、浜表面材料２２０は、ベント２０４及び発光体２０６の上へ配置されていてもよい。ベント２０４は、砂がベント２０４に進入して詰まりを引き起こしたりしないように遮断するフィルタ２２２（例えば、ガス透過性発泡体又はスポンジ様要素）を含んでいてもよい。ベント２０４は、スモーク又はガスの放出を制御するように遠隔で開閉させることのできる機構２２３（例えば、ルーバ）を含んでいてもよい。ベント２０４は、発光体２０６を浜表面材料２２０との直接接触から保護又は遮断している透明又は半透明な層２２４（例えば、薄膜又は殻）を貫いて延びていてもよい。ベント２０４と発光体２０６はどちらも、ベント２０４及び／又は発光体２０６への保守管理を目的としたアクセスを提供するべく浜２００の基礎２２８（例えば、コンクリート層）の下を浜２００の下に配置されている保守管理キャビティ又はピット２３０の中へと延びている構成要素を含んでいてもよい。実際に、保守管理ピット２３０は、作業員が、発光体２０６の交換やベント２０４の掃除などを、これらの機構へアクセスするのに浜表面材料２２０の除去を要すること無く、行えるようにしている。更に、図１０に示されている様に、保守管理ピット２３０内には、ベント２０４及び発光体２０６用の管材２３４及び配線２３６が配置されていてもよい。その様な管材２３４及び配線２３６は、ベント２０４及び発光体２０６へ遠隔場所（例えば、表面の場所）からパワー、ガス、スモーク、などを提供することができるであろう。例えば、制御システムが、ベント２０４及び発光体２０６への管材２３４及び配線２３６を介したガス及び電気の供給を制御していてもよい。こうして、制御システムは、浜の一部の特定の区域に、発光体２０６などからの電照効果（例えば、異なった色、パターン、及び／又は輝度の光）の提供と連携してスモーク又はガス（例えば、異なった色のスモーク又はガス）をベント２０４から放出させることができる。
【００２２】
[0031]ここでは本発明の一部の特定の特徴のみを示し説明してきたが、当業者には多くの修正及び変更が想起されるであろう。従って、付随の特許請求の範囲は、本発明の真髄の内に入るあらゆるその様な修正及び変更を対象として包含することを意図しているものと理解されたい。
【符号の説明】
【００２３】
１０  多色浜
１２  遊水プール
１４  色付浜表面材料の区画
１６  収容構造体
１８  星形状
２０  浜表面材料、砂
２２  基礎
２４  リップ
２６  後壁
２８  間仕切
３０  水
３２  重なり合い
４０  尖部
４２  隔離板
４４  隔離板の降下方向
４６  受口
５０  隔離板案内
５２  ハンドル
５４  ハンドル引き上げ方向
５６  ポケット
５８  ラッチ機構
６０  ロッド
６２  キャッチ
６４  ロッド回転方向
１００  浜
１０２  遊水設備
１０４  電照システム
１０６  発光体
１１０  浜表面材料
１１２  間仕切
１１４  光ファイバーケーブル
１２０  コントローラ
２００  浜
２０２  遊水設備
２０４  スモーク又はガスベント
２０６  発光体
２２０  浜表面材料
２２２  フィルタ
２２３  開閉可能な機構（例えばルーバ）
２２４  透明又は半透明な層
２２８  基礎
２３０  保守管理ピット
２３４  管材
２３６  配線
【図１】
0005845335.tif 000002
【図２】
0005845335.tif 000003
【図３】
0005845335.tif 000004
【図４】
0005845335.tif 000005
【図５】
0005845335.tif 000006
【図６】
0005845335.tif 000007
【図７】
0005845335.tif 000008
【図８】
0005845335.tif 000009
【図９】
0005845335.tif 000010
【図１０】
0005845335.tif 000011